(57)【要約】連結式建設用ブロックは、予め決められた仕上げを有し、建物の建設に適し、その内側に、パイプ、ダクト、又は鉄棒の通過を可能にする構成部材となり、建設をより効率的に行うことができ、結果として労働及び材料の要求を低減する。【選択図】図１
2020518747.tif 000002
【特許請求の範囲】
【請求項１】
ａ−互いに対向するとともに互いに平行であり、長方形で且つ同じ寸法である２つの側板（１，２）と、
ｂ−前記２つの側板に対して９０度に位置する外側隔壁（３）であって、前記外側隔壁は、前記側板の高さに等しい長さを有するとともに、前記側板の距離よりも小さい幅を有し、第１タブ（３４）及び第２タブ（３５）によって長手方向の両端部で各側板に取り付けられ、前記第１タブ及び第２タブのそれぞれは、前記外側隔壁に対して垂直であり、前記側板の高さを構成する縁部の内面に取り付けられ、前記外側隔壁は、その縁部の１つが前記側板の縁部の１つを越えて延在するように前記側板に取り付けられ、少なくとも１つの貫通穴（３０，３１，３２，３３）を有する、外側隔壁と、
ｃ−前記外側隔壁の縁部から前記側板の縁部を越えて突出し、前記外側隔壁に対して垂直であり、前記外側隔壁から離れた各側板の縁部に達することなく、前記側板の内側縁部に取り付けられた、第３タブ（３６）及び第４タブ（３７）と、
ｄ−前記２つの側板、前記第３タブ、及び前記第４タブの内面に取り付けられた１以上の内側隔壁（４，５，６，７）であって、各内側隔壁は、前記外側隔壁と同じ端部から、前記外側隔壁に対して平行に延在し、前記外側隔壁と同じ長さを有するとともに、少なくとも１つの貫通穴を有し、前記外側隔壁から最も離れた前記内側隔壁は、前記外側隔壁から離れた前記第２タブ及び前記第３タブの端部に取り付けられている、１以上の内側隔壁と、
を備えるブロック。
【請求項２】
ａ−前記第１タブ（３４０）及び第２タブ（３５０）は、タブの長さの全体又は一部にわたって延在する第１溝（３４１）及び第２溝（３５１）を形成するように折り曲げられ、前記第３タブ（３６０）及び第４タブ（３７０）は、タブの長さにわたって延在する第３溝（３６１）及び第４溝（３７１）を形成するように折り曲げられ、
ｂ−各側板は、前記側板に対して垂直に延在する二対のタブを有し、一対は、前記第１溝及び第２溝の反対側の端部に位置する第５タブ（１０）及び第６タブ（２０）で構成され、残りの一対は、前記第３溝及び第４溝の反対側の端部に位置する第７タブ（１１）及び第８タブ（２１）で構成され、前記二対のタブの各タブは、溝の深さ以下の幅を有し、前記第５タブ及び第６タブは、前記側板の上縁部から前記第１溝（３４１）及び第２溝（３５１）の長さ以下の長さで、それぞれ前記側板の高さにわたって垂直に延在し、前記第７タブ及び第８タブは、前記側板の前方縁部から前記第３溝（３６１）及び第４溝（３７１）の長さ以下の長さで、それぞれ前記側板の長さにわたって水平方向に延在する、
請求項１に記載のブロック。
【請求項３】
前記第５タブ、第６タブ、第７タブ、及び第８タブは、前記溝の深さに等しい幅を有する、請求項２に記載のブロック。
【請求項４】
前記第５タブ、第６タブ、第７タブ、及び第８タブは、それぞれ前記第１溝、第２溝、第３溝、及び第４溝の長さに等しい長さにわたって延在する、請求項３に記載のブロック。
【請求項５】
異なる隔壁の穴は、断面が円形であり、水平方向に整列している、請求項１に記載のブロック。
【請求項６】
異なる隔壁の穴は、断面が円形であり、水平方向に整列している、請求項４に記載のブロック。
【請求項７】
前記側板の内面に取り付けられた一対以上の内側タブを有し、一対のタブの各タブが同じ対の他方のタブに対向している、請求項６に記載のブロック。
【請求項８】
前記側板の内面の少なくとも１つに取り付けられた断熱材及び／又は防音材を有する、請求項５に記載のブロック。
【請求項９】
前記側板の内面の少なくとも１つに取り付けられた断熱材及び／又は防音材を有する、請求項７に記載のブロック。
【請求項１０】
前記断熱材は、ネオプレンである、請求項８に記載のブロック。
【請求項１１】
前記断熱材は、ネオプレンである、請求項９に記載のブロック。
【請求項１２】
前記側板は、浮き彫りのテクスチャを有する、請求項６に記載のブロック。
【請求項１３】
前記側板は、浮き彫りのテクスチャを有する、請求項７に記載のブロック。
【請求項１４】
前記ブロックは、ＰＶＣで構成されている、請求項１〜１３のいずれか１つに記載のブロック。
【請求項１５】
端部にブラインドカバー（３８，７８，３８０，７８０）を有する、請求項１４に記載のブロック。
【発明の詳細な説明】
【技術分野】
【０００１】
本発明は、建設部材の分野、より具体的にはブロック形状の建設部材の分野に関する。
【背景技術】
【０００２】
従来の建物の建設のコストの大部分は、労働が占めている。例えば、レンガやブロックを柱や梁に取り付ける従来の建設では、材料の取り付けと、その後の内部ダクトやパイプなどの構成部材の配置の両方にかなりの労働が必要である。
【０００３】
コストを削減するために、様々な建設業者が、より効率的に組み立てることができる建設部材の開発を模索している。そのような建設部材のうち、連結可能で労働を少なくするブロックが開発されている。
【０００４】
スペイン国特許出願公開第２３５４０９１号明細書には、ダクト、パイプ、ケーブルの通過を可能にするとともに、セクションを切断してビルトインボックスの配置を可能にする半円形のキャビティを有する建設用ブロックが示されている。しかしながら、ブロックは、従来の建物を対象としている。
【０００５】
欧州特許出願公開第０３２０７４５号明細書には、そのような目的のために構築された柱及び梁に連結することができるモジュールブロックが示されている。そのブロックは、材料を注入することができるが、ダクトやパイプの導入のためのチャンネル構造を有さない、モジュールを備えている。同様の解決策が米国特許出願公開第５７０６６２０号明細書に記載されている。
【０００６】
建物を建設するのに必要な様々な部材の数は、柱及び梁の存在とともに増加し、その結果、建設を行う際の物流が複雑になる。
【０００７】
国際公開第９４／２８２６２号には、欧州特許出願公開第０３２０７４５号明細書に示されているものを改良したブロックが示されている。このブロックは、モジュールに加えて、ブロックを充填する前にダクト及びパイプを導入できる一連の円形穴を有している。しかしながら、この解決策では、欧州特許出願公開第０３２０７４５号明細書及び米国特許出願公開第５７０６６２０号明細書に示されているのと同じように、柱及び梁を利用することが必要である。このため、国際公開第９４／２８２６２号は、ブロックに加えて、特にコーナーとの接合部において前記構造を組み立てるために一連の接合部材を必要とする。
【０００８】
柱及び梁の存在は、これらのブロックで構築された壁を現場で組み立てることを必要とする。
【０００９】
そのため、ブロックが自己支持され、パイプ又はダクトがその中を通過できるように、柱状又は梁状の部材を必要とせずに連結できる建設用ブロックが必要である。
【発明の概要】
【００１０】
本発明の対象は、建物の建設を可能にし、パイプ、ダクト、又は鉄棒の通過を可能にする構成部材となる連結式建設用ブロックである。
【００１１】
本発明のブロックは、建設をより効率的に行うことを可能にして、労働及び材料を節約し、その結果としてコストの低減を可能にする。
【図面の簡単な説明】
【００１２】
以下は、本明細書に添付されている図面の簡単な説明である。
【図１】本発明に係るブロックを正面及び上方から見た斜視図である。
【図２】図１のブロックを後方及び下方から見た斜視図である。
【図３】図１及び図２のブロックの正面図である。
【図４】図３のブロックの垂直断面図である。
【図５】図３のブロックの水平断面図である。
【図６】図３のブロックからモジュールを切り離した一例である。
【図７】本発明に係る別タイプのブロックを正面及び上方から見た斜視図である。
【図８】図７のブロックを後方及び下方から見た斜視図である。
【図９】図７及び図８のブロックの正面図である。
【図１０】図９のブロックの垂直断面図である。
【図１１】図９のブロックの水平断面図である。
【図１２】図９のブロックからモジュールを切り離した一例である。
【図１３】本発明のブロックで構築された家を示している。
【発明を実施するための形態】
【００１３】
本発明の対象は、
ａ−互いに対向するとともに互いに平行であり、長方形で且つ同じ寸法である２つの側板と、
ｂ−前記２つの側板に対して９０度に位置する外側隔壁であって、前記外側隔壁は、前記側板の高さに等しい長さを有するとともに、前記２つの側板の間の距離よりも小さい幅を有し、第１タブ及び第２タブによって長手方向の両端部で各側板に取り付けられ、前記第１タブ及び第２タブのそれぞれは、前記外側隔壁に対して垂直であり、前記側板の高さを構成する縁部の内面に取り付けられ、前記外側隔壁は、その縁部の１つが前記側板の縁部の１つを越えて延在するように前記側板に取り付けられ、少なくとも１つの貫通穴を有する、外側隔壁と、
ｃ−前記外側隔壁の縁部から前記側板の縁部を越えて突出し、前記外側隔壁に対して垂直であり、前記外側隔壁から離れた各側板の縁部に達することなく、前記側板の内側縁部に取り付けられた、第３タブ及び第４タブと、
ｄ−前記２つの側板、前記第３タブ、及び前記第４タブの内面に取り付けられた１以上の内側隔壁であって、各内側隔壁は、前記外側隔壁と同じ端部から、前記外側隔壁に対して平行に延在し、前記外側隔壁と同じ長さを有するとともに、少なくとも１つの貫通穴を有し、前記外側隔壁から最も離れた前記内側隔壁は、前記外側隔壁から離れた前記第２タブ及び前記第３タブの端部に取り付けられている、１以上の内側隔壁と、
を備えるブロックである。
【００１４】
前述したブロックは、適当な結合部材を用いて恒久的に取り付けられてもよい。しかしながら、好適な実施形態において、本発明のブロックは、結合部材を使用する必要がなく取り付けを達成するために、ブロックが互いに連結することを可能にする溝及びタブを有してもよい。
【００１５】
ブロックをタブ及び溝によって互いに連結するために、前記第１タブ及び第２タブは、各タブに対して、タブの長さの全体又は一部にわたって延在する第１溝及び第２溝を形成するように折り曲げられ、前記第３タブ及び第４タブは、各タブに対して、タブの長さにわたって延在する第３溝及び第４溝を形成するように折り曲げられている。また、各側板は、前記側板に対して垂直に延在する二対のタブを有し、一対は、前記第１溝及び第２溝の反対側の端部に位置する第５タブ及び第６タブで構成され、残りの一対は、前記第３溝及び第４溝の反対側の端部に位置する第７タブ及び第８タブで構成され、前記二対のタブの各タブは、溝の深さ以下の幅を有し、前記第５タブ及び第６タブは、前記側板の上縁部から前記第１溝及び第２溝の長さ以下の長さで、それぞれ前記側板の高さにわたって垂直に延在し、前記第７タブ及び第８タブは、前記側板の前方縁部から前記第３溝及び第４溝の長さ以下の長さで、それぞれ前記側板の長さにわたって水平方向に延在する。
【００１６】
各側板の高さは、前記隔壁に対して平行であり且つ第３タブ及び第４タブに対して垂直な寸法である。各側板の長さは、前記隔壁に対して垂直であり且つ第１タブ及び第２タブに対して垂直な寸法である。
【００１７】
各側板の上縁部は、第３タブ及び第４タブに近い端部である。
【００１８】
溝の深さは、側板の表面と溝の底部との間の距離である。
【００１９】
内側隔壁の数は、ブロックの寸法によって変更してもよい。例えば、５０ｃｍ×５０ｃｍ×１２．５ｃｍのサイズのブロックである場合、互いに等間隔に配置した３つの内側隔壁と、外側隔壁とを使用することが好ましい。
【００２０】
ブロックを連結するための溝とタブとを交互に有するこれらの好ましい実施形態において、ブロックは、各側板の内面に取り付けられた一対以上の内部タブを有し、内部タブのそれぞれは、互いに対向し、第１対に対して平行に延在する。この配置により、必要に応じてブロックを切断することができるため、内部タブは、ブロックの端部に残り、ブロックを連結するために使用することができる。
【００２１】
前記穴は、適当であると考えられる任意の形状であってもよいが、単純化のために、円形であることが好ましい。
【００２２】
いくつかの穴は特定の形状を有し、他の穴は別の形状（例えば、いくつかの穴は円形、他の穴は正方形）を有してもよい。しかしながら、単純化のために、全ての穴は、同じ形状であることが好ましい。
【００２３】
前記隔壁の穴の機能は、ブロックの上部から注入されるモルタルとなる材料が、前記隔壁で区切られたブロックの異なるキャビティ間を容易に流れるようにすることである。
【００２４】
「モルタルとなる材料」は、建設業界で知られており、砂、ポルトランドセメント、石膏、コンクリートなどの建物のキャビティの結合又は充填に使用される材料をいう。
【００２５】
任意の数の穴を使用できるが、穴の数が多く且つ表面が大きいほど、ブロック内の異なるキャビティ間で材料が流れやすくなる。
【００２６】
異なる隔壁の穴は、穴の列を形成するように水平方向に整列されてもよいし、整列されていなくてもよい。しかしながら、水平方向に配列された穴の方が、水平方向に置かれる様々なサービスライン（水、ガス、電気、空調ダクトなど）をブロック内に配置することができ、パイプやダクトを配置するために既に構築されている壁を切り刻む必要性を無くすことができるので好ましい。また、これらのラインはブロックの１以上の垂直モジュールに配置できるので、ブロックは、垂直方向に走らなければならないサービスラインを取り付けることができる。
【００２７】
また、前記隔壁の間に配置された穴は、フレーム付きの構造が望まれる場合に、鉄棒を水平方向に配置することを可能にする一方で、ブロック内の隔壁は、鉄棒を垂直に配置することを可能する。
【００２８】
壁の製造中、各ブロックは隣接するブロックと連結される。このため、ガイドや特別な部材は不要である。
【００２９】
側板、第１タブ、第２タブ、第３タブ、及び第４タブの位置は、１つのブロックを隣接するブロックと連結させることを可能にする。このような連結は、水平方向と垂直方向の両方で生じる。
【００３０】
ブロックが溝やタブを有さない場合、適当な結合部材によって、あるブロックと別のブロックとの取り付けが達成される。ブロックが溝やタブを有する場合、あるブロックの第５タブ及び第６タブは、隣接するブロックの１つの第１溝及び第２溝とそれぞれ連結される一方、あるブロックの第７タブ及び第８タブは、隣接するブロックの１つの第３タブ及び第４タブとそれぞれ連結される。
【００３１】
このようにして、各ブロックと隣接するブロックとの二重連結が行われて、シーリングが改善され、その結果、防水処理の要件が低減される。
【００３２】
窓、ドアの開口部、建物のコーナーなど、ブロックが露出している建物の領域では、ポリ塩化ビニル（ＰＶＣ）、高密度ポリエチレン（ＨＤＰＥ）、木材、ステンレス鋼、アルミ二ウムなどの異なる材料のブラインドカバーを使用してもよい。
【００３３】
本発明のブロックの更なる利点は、熱の伝達及び／又は音の伝達を低減するために、側板の内面の少なくとも１つに取り付けられた断熱材及び／又は防音材を備えてもよいことにある。前述の断熱材及び防音材のいずれかを有するブロックは、外壁に用いられることが好ましい。
【００３４】
本発明のブロックには、断熱材又は防音材に適した任意の従来の材料を使用することができる。例示的な好ましい断熱材は、発泡ポリスチレン及びネオプレンを含む。好ましい防音材は、ポリウレタンフォーム、グラスウール、又はコルクを含む。
【００３５】
断熱材及び防音材の厚さは、選択した断熱材と所望の断熱材とによって異なる。
【００３６】
充填に関しては、壁全体を構築してからモルタルとなる材料を充填することも可能であるが、いくつかのブロックの層（course）を構築してからモルタルを充填し、その後、壁の高さが増加するように、ブロックの新しい層を組み込むことが好ましい。この方法により、いかなる種類の接合部材も必要とせず、壁全体を単一のタイプのブロック（壁の特定のポイントで長過ぎる場合は、より小さなモジュールに切断可能なブロック）で構築できる。本発明のブロックの場合、追加の部材に頼ることなく取り付けを強化するために、充填前に、ブロックをコーナーで一緒にねじ込むことができる。
【００３７】
壁がコンクリートで充填されている場合、このシステムを使用して、壁には梁や柱を必要とせずに、４階まで構築することができる。
【００３８】
各ブロックは、追加の部材を必要とせずに隣接するブロックと連結して壁を形成することができるため、作業場で壁を予め組み立ててから現場で組み立てることができる。このことは、特に雨の日を有利に活用するのに役立つ。壁は、屋内で予め組み立てることができ、天気が良くなったら現場で組み立てることができるため、利用可能な時間をより有効に活用してコストを削減することができる。
【００３９】
ここで、本発明をより良く図示することを意図し、本発明を決して限定することを意図しない好適な実施形態として解釈されるべき図面を詳細に説明する。
【００４０】
図１は、本発明の溝を有さないブロックの斜視図を示している。このブロックは、２つの側板１，２と、外側隔壁３と、４つの内側隔壁４，５，６，７とで構成されている。
【００４１】
外側隔壁３は、外側隔壁に対して垂直な第１タブ３４によって側板１に取り付けられる。第２タブは、第１タブの反対側にあるため、この図面では見ることができない。本実施形態に係る外側隔壁３は、４つの円形穴３０，３１，３２，３３を有し、それらはすべて貫通穴である。
【００４２】
第３タブ３６及び第４タブ３７は、それぞれ側板１，２に沿って外側隔壁３から延在しているが、側板１，２の縁部には達しない。第３タブ３６は、側板２の縁部の内面に取り付けられる一方、第４タブ３７は、側板２の内側縁部に取り付けられている。
【００４３】
また、図１のブロックには、４つの内側隔壁４，５，６，７も示されている。内側隔壁は、各側板１，２の内面、及び、各タブ３６，３７の内面に取り付けられている。外側隔壁３に対向する内側隔壁は、当該外側隔壁に対して平行であり、且つ、当該外側隔壁と同じ長さを有する。本実施形態において、各内側隔壁は４つの円形貫通穴を有し、そのうちの穴４０，５０，６０，及び７０が図示されている。４つの内側隔壁は、外側隔壁３と同じ端部から延在している。円形穴は、水平方向に並んで４列の穴を形成している。例えば、１列目の場合、穴３０，４０，５０，６０が並んでいる。
【００４４】
本実施形態において、側板１，２は、ブロックが隣接するブロックと連結できるように一連の隔壁に対してオフセットされている。連結式ブロックは、適当な結合部材によって恒久的に取り付けられることができる。
【００４５】
側板１の高さは、隔壁３，４，５，６，７に対して平行で且つタブ３６に対して垂直な寸法である。この状態は、側板２についても同様である。
【００４６】
側板１の長さは、隔壁３，４，５，６，７に対して垂直で且つタブ３６に対して平行な寸法である。この状態は、側板２についても同様である。
【００４７】
図２は、ブロックを下方及び後方から見た別の斜視図である。この図面には、側板１，２と、外側隔壁３と、内側隔壁４，５，６，７とが示されている。
【００４８】
この図面には、内側隔壁７の穴７０，７１，７２，７３、及び、隔壁３，４，５，６の穴３３，４３，５３，６３がそれぞれ示されている。更に、前記図面には、外側隔壁３を側板２の内側縁部に取り付ける第２タブ３５が示されている。
【００４９】
図３は、本発明のブロックの正面図である。この図面には、側板１とタブ３４，３６とが示されている。Ｈ−ＨとＣ−Ｃとは、図４と図５とを識別するための断面軸である。
【００５０】
図４は、図３のＣ−Ｃ面における本発明のブロックの垂直断面図である。この断面図には、側板１の内面から側板２の内面まで、及び、タブ３６の内面からタブ３７の内面まで幅方向に延びる隔壁６が示されている。また、この断面図には、円形貫通穴６０，６１，６２，６３が示されている。
【００５１】
図５は、図３のＨ−Ｈ面における本発明のブロックの水平断面図である。この図面には、外側隔壁３と内側隔壁４，５，６，７とで区切られたブロックの４つの垂直モジュール４４，５４，６４，７４への分割が示されている。また、雄型ブラインドカバー３８と雌型ブラインドカバー７８も示されており、両方ともブロックに任意で設けられてもよい。
【００５２】
図６は、４つのモジュール４４，５４，６４，７４、及び、より少ない数のモジュール（「サブモジュレーション」）を有するブロックの３つの例を有する、本発明のブロックの上面図である。より少ない数のモジュールを備えるブロックを得るために、ブロックを適当な場所で単純に切断する。これにより、利用可能なスペースに完全なブロックを配置できない場合（ドアの開口部、窓の開口部、コーナーなど）に、より短いブロックを得ることができる。
【００５３】
図７は、連結用の溝及びタブを有する本発明に係る実施形態である。この図面には、４つのタブ３４０，３５０，３６０，３７０を有する本発明に係るブロックが示されている。第１タブ３４０及び第２タブ３５０は、溝３４１，３５１をそれぞれ形成するように折り曲げられている一方、第３タブ３６０及び第４タブ３７０は、溝３６１，３７１をそれぞれ形成するように折り曲げられている。
【００５４】
前記ブロックは、第３タブ３４０と対向する側板１の端部に位置し且つ溝３４１と同じ長さを有する第５タブ１０を備えている。この図面には示されていないが、側板２の縁部では、第６タブがタブ１０に対向している。第５タブ及び第６タブは、それらが取り付けられている側板の縁部に対して垂直であり、当該側板の上部まで延在している。
【００５５】
また、前記図面には、第３タブ３６０と対向する側板１の縁部に沿って配置され、溝３６１と同じ長さを有する第７タブ１１も示されている。この図面には図示されていないが、側板２の縁部では、第８タブがタブ１１に対向している。第７タブ及び第８タブは、それらが取り付けられている側板の縁部に対して垂直である。
【００５６】
また、前記ブロックは、モジュール５４内に一対の内側タブ５４０，５４１、モジュール６４内に一対の内側タブ６４０，６４１、及び、モジュール７４内に一対の内側タブ７４０，７４１も有している。これらの内側タブの機能は、これらのタブのいずれかの対のすぐ後ろでモジュールを切断できるようにして、より少ないモジュールを有するブロックを得るようにすることにある。
【００５７】
図８は、図７のブロックを下方及び後方から見た別の斜視図である。この図面には、第２タブ３５０及びその溝３５１、第５タブ２０及び第４溝３７１の端部が示されている。
【００５８】
溝３４１，３５１，３６１，３７１、及びタブ１０，１１，２０，２１の配置により、各ブロックは４つの隣接するブロックと連結され、ブロックと隣接するブロックとを結合する必要なしに堅固な構造を得ることができる。
【００５９】
図９は、本発明のブロックの正面図である。側板１と、タブ３４，３６と、溝３４１，３６１とが示されている。Ｈ−ＨとＣ−Ｃとは、図１０と図１１とを識別するための断面軸である。
【００６０】
図１０は、図９のＣ−Ｃ面における本発明のブロックの垂直断面図である。この断面図には、側板１の内面から側板２の内面まで、及び、タブ３６の内面からタブ３７の内面まで幅方向に延在する隔壁６が示されている。この図面には、第３溝３６１及び第４溝３７１、並びに、第１タブ１１及び第２タブ２１も示されている。
【００６１】
図１１は、図９のＨ−Ｈ面における本発明のブロックの水平断面図である。この図面には、第１タブ３４、第２タブ３５、第５タブ１０、及び第６タブ２０、並びに、第１溝３４１及び第２溝３５１が示されている。
【００６２】
この図面には、雄型ブラインドカバー３８０と雌型ブラインドカバー７８０の２つのカバーも示されている。この場合、カバーは、ブロックを連結可能なタブを有するが、タブは必須ではない。ブロックカバーは、任意である。
【００６３】
図１２は、４つのモジュール４４，５４，６４，７４、及び、より少ないモジュールを備えたブロックの３つの例を有する、本発明のブロックの上面図である。より少ないモジュールを有するブロックを得るために、所望の数のモジュールに応じて、内側タブの複数対のうちの一対のすぐ後ろでブロックを単純に切断する。例えば、３つのモジュールを有するブロックが望まれる場合には、ブロックは一対の内側タブ７４０，７４１に沿って切断され、２つのモジュールを有するブロックが望まれる場合には、ブロックは一対の内側タブ６４０，６４１に沿って切断され、１つのモジュールを有するブロックが望まれる場合、ブロックは一対の内側タブ５４０，５４１に沿って切断される。
【００６４】
これにより、利用可能なスペースに完全なブロックを配置できない場合（ドアの開口部、窓の開口部、コーナーなど）に、より短いブロックを得ることができる。
【００６５】
図１３は、本発明のブロックを使用して構築され、接合状態にある家の壁のデザインを示している。ブロックは、互いに連結して、簡単で経済的な壁の構造を可能にする。このブロックの構造は、ドアや窓などの構成部材を開口部に配置することを容易にする。
【００６６】
図１及び図２のようなタブを有さないブロックを備える壁の構造に対して、各ブロックは、隣接するブロックと連結され、結合部材によって（それに）取り付けられる。この場合、各側板１は、隣接するブロックの別の側板１の隣に配置される一方、各側板２は、隣接するブロックの別の側板２の隣に配置される。
【００６７】
但し、タブが突出しているブロックを使用する場合、ブロックから突出しているタブは、隣接するブロックの溝と連結するように作成される。このため、ブロックのタブ１１，２１は、隣接するブロックの溝３６１，３７１にそれぞれ連結される一方、ブロックのタブ１０，２０は、隣接するブロックのタブ３４１，３５１にそれぞれ係合する。このようにして、各ブロックは、結合部材を使用する必要がなく、また、全体構造に堅さを付加することなく、隣接するブロックにしっかりと取り付けられる。
【００６８】
図面の壁は、インボンドパターン（in-bond pattern）で構築されているが、例えば、２分の１のレンガ（brick）又は４分の１のレンガなど、千鳥状のパターンで構築されてもよい。
【００６９】
壁にブロックが配列されると、当該構造体に組み込まれるパイプ、ダクト、又は鉄棒が配置され、その後、当該構造体には、モルタルとなる材料、好ましくはコンクリートが充填されてもよい。
【００７０】
本発明のブロックは、例えば、金属材料又はポリマー材料などの任意の適当な材料で構成することができる。高密度ポリエチレン（ＨＤＰＥ）又はポリ塩化ビニル（ＰＶＣ）などのポリマー材料を使用することが好ましい。特に、ＰＶＣが好ましい。
【００７１】
ポリマー材料を用いた構造の利点は、ブロックの「サブモジュレーション」が望まれる場合に、これらの材料を簡単に切断できることである。
【００７２】
側板は、使用する材料にとって可能であるなら、白色又は任意の所望の色であってもよい。更に、それらは、滑らかにされても、平らな図画がプリントされても、例えば、スラブ／タイル、石、木、又はレンガの外観を有するプリントのような、浮き彫りのテクスチャを有してもよい。この方法では、壁仕上げのコストが低減される。
【００７３】
ブロックは、従来の適当な方法で製造することができる。プラスチック材料の場合、射出による製造が好ましい。射出による単一部品としてのブロックの製造は、ブロックに材料が充填されるとき、内側隔壁が変形を抑える神経として作用するため、ブロックに剛性を与える。この方法では、プラスチックの壁の厚さを低減することができ、その結果、ブロックのコストを削減することができる。
【００７４】
プラスチック材料の場合において、別のオプションは、任意の適当な手段で取り付けられる２以上の部材の製造である。
【００７５】
プラスチック材料の場合における別の取り得る代替案は、３Ｄプリンタによる製造である。この代替案は、いかなるタイプの金型も必要とせずにブロックを製造できるという利点を有する。
【図１】
2020518747.tif 000003
【図２】
2020518747.tif 000004
【図３】
2020518747.tif 000005
【図４】
2020518747.tif 000006
【図５】
2020518747.tif 000007
【図６】
2020518747.tif 000008
【図７】
2020518747.tif 000009
【図８】
2020518747.tif 000010
【図９】
2020518747.tif 000011
【図１０】
2020518747.tif 000012
【図１１】
2020518747.tif 000013
【図１２】
2020518747.tif 000014
【図１３】
2020518747.tif 000015
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
ａ−互いに対向するとともに互いに平行であり、長方形で且つ同じ寸法である２つの側板（１，２）と、
ｂ−前記２つの側板に対して９０度に位置する外側隔壁（３）であって、前記外側隔壁は、前記側板の高さに等しい長さを有するとともに、前記２つの側板の間の距離よりも小さい幅を有し、第１タブ（３４）及び第２タブ（３５）によって長手方向の両端部で各側板に取り付けられ、前記第１タブ及び第２タブのそれぞれは、前記外側隔壁に対して垂直であり、前記側板の高さを構成する縁部の内面に取り付けられ、前記外側隔壁は、その縁部の１つが前記側板の縁部の１つを越えて延在するように前記側板に取り付けられ、少なくとも１つの貫通穴（３０，３１，３２，３３）を有する、外側隔壁と、
ｃ−前記外側隔壁の縁部から前記側板の縁部を越えて突出し、前記外側隔壁に対して垂直であり、前記外側隔壁から離れた各側板の縁部に達することなく、前記側板の内側縁部に取り付けられた、第３タブ（３６）及び第４タブ（３７）と、
ｄ−前記２つの側板、前記第３タブ、及び前記第４タブの内面に取り付けられた１以上の内側隔壁（４，５，６，７）であって、各内側隔壁は、前記外側隔壁と同じ端部から、前記外側隔壁に対して平行に延在し、前記外側隔壁と同じ長さを有するとともに、少なくとも１つの貫通穴を有し、前記外側隔壁から最も離れた前記内側隔壁は、前記外側隔壁から離れた前記第２タブ及び前記第３タブの端部に取り付けられている、１以上の内側隔壁と、
を備えるブロック。
【請求項２】
ａ−前記第１タブ（３４０）及び第２タブ（３５０）は、タブの長さの全体又は一部にわたって延在する第１溝（３４１）及び第２溝（３５１）を形成するように折り曲げられ、前記第３タブ（３６０）及び第４タブ（３７０）は、タブの長さにわたって延在する第３溝（３６１）及び第４溝（３７１）を形成するように折り曲げられ、
ｂ−各側板は、前記側板に対して垂直に延在する二対のタブを有し、一対は、前記第１溝及び第２溝の反対側の端部に位置する第５タブ（１０）及び第６タブ（２０）で構成され、残りの一対は、前記第３溝及び第４溝の反対側の端部に位置する第７タブ（１１）及び第８タブ（２１）で構成され、前記二対のタブの各タブは、溝の深さ以下の幅を有し、前記第５タブ及び第６タブは、前記側板の上縁部から前記第１溝（３４１）及び第２溝（３５１）の長さ以下の長さで、それぞれ前記側板の高さにわたって垂直に延在し、前記第７タブ及び第８タブは、前記側板の前方縁部から前記第３溝（３６１）及び第４溝（３７１）の長さ以下の長さで、それぞれ前記側板の長さにわたって水平方向に延在する、
請求項１に記載のブロック。
【請求項３】
前記第５タブ、第６タブ、第７タブ、及び第８タブは、前記溝の深さに等しい幅を有する、請求項２に記載のブロック。
【請求項４】
前記第５タブ、第６タブ、第７タブ、及び第８タブは、それぞれ前記第１溝、第２溝、第３溝、及び第４溝の長さに等しい長さにわたって延在する、請求項３に記載のブロック。
【請求項５】
異なる隔壁の穴は、断面が円形であり、水平方向に整列している、請求項１に記載のブロック。
【請求項６】
異なる隔壁の穴は、断面が円形であり、水平方向に整列している、請求項４に記載のブロック。
【請求項７】
前記側板の内面に取り付けられた一対以上の内側タブを有し、一対のタブの各タブが同じ対の他方のタブに対向している、請求項６に記載のブロック。
【請求項８】
前記側板の内面の少なくとも１つに取り付けられた断熱材及び／又は防音材を有する、請求項５に記載のブロック。
【請求項９】
前記側板の内面の少なくとも１つに取り付けられた断熱材及び／又は防音材を有する、請求項７に記載のブロック。
【請求項１０】
前記断熱材は、ネオプレンである、請求項８に記載のブロック。
【請求項１１】
前記断熱材は、ネオプレンである、請求項９に記載のブロック。
【請求項１２】
前記側板は、浮き彫りのテクスチャを有する、請求項６に記載のブロック。
【請求項１３】
前記側板は、浮き彫りのテクスチャを有する、請求項７に記載のブロック。
【請求項１４】
前記ブロックは、ＰＶＣで構成されている、請求項１〜１３のいずれか１つに記載のブロック。
【請求項１５】
端部にブラインドカバー（３８，７８，３８０，７８０）を有する、請求項１４に記載のブロック。
【国際調査報告】
2020518747.tif 000016
2020518747.tif 000017
2020518747.tif 000018